(57)【特許請求の範囲】
【請求項１】
本体ケースに着脱自在なヘッド部から突出し、軸線方向に沿った毛導入溝が周方向に並設された円筒状の固定刃と、
前記本体ケースの前記ヘッド部の装着部位に回転自在に配置された基台に取り付けられ、ヘッド部に装着された前記固定刃の内部で固定刃の内面と摺動しつつ回転する可動刃とを具備する鼻毛カッターにおいて、
前記可動刃は、前記基台の表面から延出し、前記固定刃の内周面と摺動する刃部が先端に形成された複数の板状バネ部材で構成され、
該複数の板状バネ部材には、前記刃部が前記固定刃の内周面に向かう方向の開きを規制する開き止めリングが一括して外嵌されていることを特徴とする鼻毛カッター。
【請求項２】
前記板状バネ部材には、前記開き止めリングの前記基台側への移動を規制する規制片が突設されていることを特徴とする請求項１記載の鼻毛カッター。
【発明の詳細な説明】
【０００１】
【発明の属する技術分野】
本発明は、鼻毛を切断する鼻毛カッターに関する。
【０００２】
【従来の技術】
従来の鼻毛カッター５０の基本構成について、図２と図３を用いて説明する。
柱状の本体ケース５２は、電動モータ６４等が内蔵され、表面にスイッチボタン５４が配置されている。
ヘッド部５６は、本体ケース５２の一端側に着脱自在に設けられており、外形が一例として円錐台形状に形成されている。
固定刃５８は外形が円筒状に形成されて、このヘッド部５６の先端に突設されている。そして、その先端側には略軸線Ｌ方向に沿った毛導入溝６０が周方向に等角度間隔で並設されている。
【０００３】
基台６２は円柱状に形成され、本体ケース５２の、ヘッド部５６の装着部位に回転自在に配置されている。一例として本例では本体ケース５２に内蔵された電動モータ６４の、本体ケース５２表面から突出する回転軸６４ａに基台６２が一体的に回転可能に取り付けられている。
基台６２の詳細な構造は、下面には電動モータ６４の回転軸６４ａに取り付けられた断面非円形のジョイント６６が嵌り込む凹部６８が形成され、上面には板状のストッパ７０が、軸線Ｌを中心に等角度間隔で間隔を空けて突設されている。本例ではストッパ７０は一例として２つ突設されている。各ストッパ７０の上端側には、軸線Ｌに沿った切欠部７０ａが一つ形成されている。
【０００４】
可動刃７２は、基台６２の表面（上面）に、軸線Ｌを中心に等角度間隔でストッパ７０と同数延出して設けられている。可動刃７２は、固定刃５８の内周面と摺動するように略く字状に屈曲された刃部７２ａが先端に形成された複数の板状バネ部材７２ｂで構成されている。そして可動刃７２は、各ストッパ７０の内面に板状バネ部材７２ｂが沿うようにして配置され、固定刃５８の内周面と摺動する刃部７２ａがストッパ７０の切欠部７０ａ内に嵌り込んで、刃部７２ａの外側面が、ストッパ７０の外面から突出する。
また、板状バネ部材７２ｂは刃部７２ａを常時固定刃５８の内周面方向へ付勢する構成となるように予め固定刃５８の内周面方向に傾いた状態で基台６２の表面から延出しているが、ストッパ７０の内面と当接することによって刃部７２ａが固定刃５８の内周面に向かう方向の開きが所定量に規制されている。これにより、固定刃５８が取り付けられたヘッド部５６に対して可動刃７２を抜き差しする際に、可動刃７２が固定刃５８の内面に引っかかって抜き差ししにくくなることや、引っかかりによる可動刃７２の変形を防止している。
【０００５】
【発明が解決しようとする課題】
しかしながら、従来例のように可動刃７２の固定刃５８側への移動を、基台６２の上面に延出させたストッパ７０で規制する構成だと、剃られた鼻毛がストッパ７０と可動刃７２の板状バネ部材７２ｂとの間に入り込んで、板状バネ部材７２ｂと共に刃部７２ａが軸線Ｌ方向に移動し、その結果可動刃７２の刃部７２ａの固定刃５８の内面への接触圧力が低下し、さらにひどい場合には非接触状態となって、切れ味が低下するという課題がある。また、ストッパ７０と可動刃７２の板状バネ部材７２ｂとの間に入り込んだ鼻毛は、可動刃７２によって常時ストッパ７０側に押し付けられているため、掃除もしにくいという課題もある。
したがって、本発明は上記課題を解決すべくなされ、その目的とするところは、剃った鼻毛によって剃り味が低下しにくい鼻毛カッターを提供することにある。
【０００６】
【課題を解決するための手段】
本発明は上記目的を達成するため次の構成を備える。
すなわち、本発明に係る鼻毛カッターは、本体ケースに着脱自在なヘッド部から突出し、軸線方向に沿った毛導入溝が周方向に並設された円筒状の固定刃と、前記本体ケースの前記ヘッド部の装着部位に回転自在に配置された基台に取り付けられ、ヘッド部に装着された前記固定刃の内部で固定刃の内面と摺動しつつ回転する可動刃とを具備する鼻毛カッターにおいて、前記可動刃は、前記基台の表面から延出し、前記固定刃の内周面と摺動する刃部が先端に形成された複数の板状バネ部材で構成され、該複数の板状バネ部材には、前記刃部が前記固定刃の内周面に向かう方向の開きを規制する開き止めリングが一括して外嵌されていることを特徴とする。
【０００７】
これによれば、従来のように基台から延出する板状のストッパがないため、ストッパと可動刃との間に鼻毛が溜まるということが無くなり、剃り味の低下が抑制できる。特に開き止めリングは、複数の板状バネ部材に一括して外嵌されているだけなので、可動刃に対して相対的に移動可能であるから、開き止めリングの内周面と可動刃の外周面との間に入った鼻毛も基台上に落下しやすい。
【０００８】
また、前記板状バネ部材に、前記開き止めリングの前記基台側への移動を規制する規制片を突設しておくと、固定刃内に可動刃が装着された際に開き止めリングが板状バネ部材の根元側に移動してしまうということを防止できる。
【０００９】
【発明の実施の形態】
以下、本発明に係る鼻毛カッターの一実施の形態について図１を用いて説明する。なお、従来例で説明した鼻毛カッター５０とは、可動刃とストッパの構成を除けば基本的に同じ構成であるため、鼻毛カッターの外形形状を示す図２（ａ）も併せて使用して説明する。なお、従来の構成と同じ構成については同じ符号を付し、詳細な説明は省略する。
鼻毛カッター１０の基本的な構成は、モータ６４等が内蔵された本体ケース５２と、ヘッド部５６と、ヘッド部５６に設けられた固定刃５８と、基台６２と、可動刃１２と、可動刃１２のストッパとから構成される。
そして、本実施の形態の特徴部分は、前述したように可動刃１２とそのストッパの構成にあり、その他の構成は従来の鼻毛カッター５０と同じであるから、以下においてはこの特徴部分について詳細に説明する。
【００１０】
基台６２は円柱状に形成され、本体ケース５２のヘッド部５６が装着される部位に回転自在に配置されている。基台６２の下面には電動モータ６４の回転軸６４ａに取り付けられた断面非円形のジョイント６６が嵌り込む凹部６８が形成され、上面の中心には可動刃１２を差し込むための差込孔１４が形成されている。
可動刃１２は、基台６２の上面から一例として２本延出している。各可動刃１２は、基台６２の軸線Ｌを中心に等角度間隔（２本であるから１８０度の間隔）で、対向して延出している。
そして、可動刃１２を構成する板状バネ部材１２ｂには、後述する開き止めリングの基台６２側（可動刃１２の根元側）への移動を規制する規制片１２ｃが両側方に向けて突設されている。規制片１２ｃの位置は、可動刃１２を構成する刃部１２ａと規制片１２ｃとの間に開き止めリングが丁度嵌り込むように、開き止めリングの長さに合わせて設定されている。
【００１１】
開き止めリング１６は、合成樹脂材料を用いて円筒体に形成され、可動刃１２用のストッパとして機能する。開き止めリング１６は、すべての可動刃１２に対して一括して、全体を束ねるように１個外嵌されており、各可動刃１２の刃部１２ａが板状バネ部材１２ｂの付勢力によってに対して固定刃５８の内周面側に向かおうとする動き（刃部７２ａの固定刃５８の内周面に向かう方向の開き）を、板状バネ部材１２ｂ同士を相互に一括して束ねることによって規制している。ここで、複数設けられた可動刃１２は同じ板厚で、同じ形状に形成されているため、開き止めリング１６によって束ねられた各可動刃１２の刃部１２ａの位置は、軸線Ｌを中心とした同一円周上に略位置することになる。
【００１２】
また、開き止めリング１６の内径は、固定刃５８に対して可動刃１２を抜き差しする際に、可動刃１２の先端の刃部１２ａが固定刃５８と必要以上に干渉しない位置になるように設定されている。
開き止めリング１６の可動刃１２への装着方法は、各可動刃１２同士を軸線Ｌ方向に一旦撓ませた状態で刃部１２ａ側から同時に装着すればよい。装着後は、各可動刃１２が自らの弾性力で外方に広がり、それぞれの外面が開き止めリング１６の内面に接触する。そして、各可動刃１２の刃部１２ａの形状が、図１に示すように外方へ拡径するく字状に形成されているため、一旦可動刃１２に装着された開き止めリング１６は容易には可動刃１２から外れない。
【００１３】
なお、図１に示すように可動刃１２を固定刃５８内に装着した際には、刃部１２ａは固定刃５８の内周面と当接し、板状バネ部材７２ｂの付勢力に抗して軸線Ｌ方向に若干移動する。これに伴い、各板状バネ部材７２ｂも可動刃１２が固定刃５８内に装着する前の位置よりも若干軸線Ｌ方向に移動するから、板状バネ部材７２ｂの外面と開き止めリング１６の内面との間には隙間が生じ、開き止めリング１６には各板状バネ部材７２ｂからの付勢力が加わらないため、開き止めリング１６は可動刃１２と独立して自在に軸線Ｌ方向に移動したり、また回転したりできる状態、いわゆる浮いた状態にある。
そこで、この状態において開き止めリング１６が可動刃１２の根元側に落下しないように、開き止めリング１６が落下しようとした際にその下端と当接する規制片１２ｃが板状バネ部材７２ｂに設けられている。
【００１４】
そして、前述のように固定刃５８内に可動刃１２が装着された際には、開き止めリング１６は可動刃１２に対して浮いた状態にあるから、開き止めリング１６の内周面と可動刃１２の外周面との間に入り込んだ鼻毛は、開き止めリング１６の内周面と可動刃１２（具体的には板状バネ部材７２ｂ）の外周面（若しくは側面）とが適当に接触することによって下方に掻き落とされ、それぞれに付着することを防止できる。従って、切断された鼻毛によって刃部１２ａの固定刃５８の内面に対する接触圧力が低下し、切れ味が低下するということを低減できる。
【００１５】
また、上述した実施の形態では、可動刃１２は２個であるが、３個以上の場合でも同様に開き止めリング１６を用いることができる。また、開き止めリング１６の形状は、上述した円筒形状に代えて、円環状でもよい。また、筒体や環体の平面形状は円形に代えて、楕円形や、四角形等の多角形でもよい。
【００１６】
【発明の効果】
本発明に係る鼻毛カッターによれば、従来のように基台から延出する板状のストッパがないため、ストッパと可動刃との間に鼻毛が溜まるということが無くなり、剃り味の低下が抑制できる。特に開き止めリングは、複数の板状バネ部材に一括して外嵌されているだけなので、固定刃内に可動刃が装着された際には可動刃に対して浮いた状態になって相対的に移動可能となるから、開き止めリングの内周面と可動刃の外周面との間に入った鼻毛も掻き落とされて基台上に落下しやすい。よって、汚れにくいという効果がある。
【図面の簡単な説明】
【図１】本発明に係る鼻毛カッターの一実施の形態のヘッド部の詳細構造を説明するための断面図である。
【図２】（ａ）は鼻毛カッターの一般的な外形を示す正面図、（ｂ）は従来の鼻毛カッターの基台と可動刃の構造を説明するための一部切り欠き正面断面図である。
【図３】従来の鼻毛カッターの一例のヘッド部の詳細構造を説明するための断面図である。
【符号の説明】
１０  鼻毛カッター
１２  可動刃
１２ａ  刃部
１２ｂ  板状バネ部材
１６  開き止めリング
５２  本体ケース
５６  ヘッド部
５８  固定刃
６０  毛導入溝
６２  基台
Ｌ  軸線
【図１】
0004486192.tif 000002
【図２】
0004486192.tif 000003
【図３】
0004486192.tif 000004